(57)【要約】【課題】  予備充電が選択的に行われる電界発光ディスプレイパネルの駆動方法を提供する。【解決手段】  データ電極ライン及び走査電極ラインが所定間隔をおいて互いに交差するように形成されてその交差領域において電界発光セルが形成される電界発光ディスプレイパネルに対し、各々の水平駆動時間の初期において、各々のデータ電極ラインの信号入力端がスイッチングによりデータ駆動部と電気的に分離され、各々のデータ電極ラインの他端がスイッチングにより電気的に互いに接続される予備充電段階を含む電界発光ディスプレイパネルの駆動方法。ここで、現在の水平駆動時間のデータとその次の水平駆動時間のデータとの差分値が設定基準値以下であれば次の水平駆動時間における予備充電段階が行われず、現在の水平駆動時間のデータとその次の水平駆動時間のデータとの差分値が設定基準値より大きければ次の水平駆動時間における予備充電段階が行われる。【選択図】  図６
2005122142.tif 000002
【特許請求の範囲】
【請求項１】
データ電極ライン及び走査電極ラインが所定間隔をおいて互いに交差するように形成されて前記交差領域において電界発光セルが形成される電界発光ディスプレイパネルに対し、各々の水平駆動時間の初期において、各々のデータ電極ラインの信号入力端がスイッチングによりデータ駆動部と電気的に分離され、前記各々のデータ電極ラインの他端がスイッチングにより電気的に互いに接続される予備充電段階を含む電界発光ディスプレイパネルの駆動方法において、
現在の水平駆動時間のデータとその次の水平駆動時間のデータとの差分値が設定基準値以下であれば前記次の水平駆動時間における前記予備充電段階を行わず、現在の水平駆動時間のデータとその次の水平駆動時間のデータとの差分値が前記設定基準値より大きければ前記次の水平駆動時間における前記予備充電段階を行うことを特徴とする電界発光ディスプレイパネルの駆動方法。
【請求項２】
現在の水平駆動時間のデータとその次の水平駆動時間のデータとが同じであれば前記次の水平駆動時間における前記予備充電段階を行わず、現在の水平駆動時間のデータとその次の水平駆動時間のデータとが異なれば前記次の水平駆動時間における前記予備充電段階を行うことを特徴とする請求項１に記載の電界発光ディスプレイパネルの駆動方法。
【請求項３】
前記予備充電段階が終われば、各々の水平駆動時間の終了時点まで走査される前記走査電極ラインに対する走査段階が行われることを特徴とする請求項１に記載の電界発光ディスプレイパネルの駆動方法。
【請求項４】
前記走査段階が、
前記各々のデータ電極ラインの前記他端がスイッチングにより電気的に分離される段階と、
前記各々のデータ電極ラインの前記信号入力端がスイッチングにより前記データ駆動部と電気的に接続される段階と、
走査される前記走査電極ラインに第１電位が印加され、その他の全ての前記走査電極ラインに前記第１電位より高い第２電位が印加される段階と、
各々のデータ電流信号が前記各々のデータ電極ラインの前記信号入力端に印加される段階と、を含むことを特徴とする請求項３に記載の電界発光ディスプレイパネルの駆動方法。
【請求項５】
前記走査段階の初期においてさらなる電流信号が前記信号入力端の全てに印加されるピークブート段階をさらに含むことを特徴とする請求項４に記載の電界発光ディスプレイパネルの駆動方法。
【請求項６】
現在の水平駆動時間のデータとその次の水平駆動時間のデータとの差分値が前記設定基準値以下であれば前記次の水平駆動時間における前記ピークブート段階を行わず、現在の水平駆動時間のデータとその次の水平駆動時間のデータとの差分値が前記設定基準値より大きければ前記次の水平駆動時間における前記ピークブート段階を行うことを特徴とする請求項５に記載の電界発光ディスプレイパネルの駆動方法。
【請求項７】
現在の水平駆動時間のデータとその次の水平駆動時間のデータとが同じであれば前記次の水平駆動時間における前記ピークブート段階を行わず、現在の水平駆動時間のデータとその次の水平駆動時間のデータとが異なれば前記次の水平駆動時間における前記ピークブート段階を行うことを特徴とする請求項６に記載の電界発光ディスプレイパネルの駆動方法。
【請求項８】
前記予備充電段階において、
前記データ電極ラインの他端がツェナーダイオードのカソードと共通して接続され、前記ツェナーダイオードのアノードに前記第１電位が印加されることを特徴とする請求項１に記載の電界発光ディスプレイパネルの駆動方法。
【発明の詳細な説明】
【技術分野】
【０００１】
本発明は、電界発光（ＥＬ：Ｅｌｅｃｔｒｏ Ｌｕｍｉｎｅｓｃｅｎｔ）ディスプレイパネルの駆動方法に係り、より詳細には、データ電極ライン及び走査電極ラインが所定間隔をおいて互いに交差するように形成されてその交差領域においてＥＬセルが形成されるＥＬディスプレイパネルの駆動方法に関する。
【背景技術】
【０００２】
図１を参照すれば、通常のＥＬディスプレイ装置は、ＥＬディスプレイパネル２及び駆動装置を備える。駆動装置は、制御部２１と、走査駆動部６及びデータ駆動部５を備える。ここで、充電スイッチ２５及び充電電圧決定部２２がＥＬディスプレイパネル２に含まれても良く、あるいは駆動装置に備えられても良い。
【０００３】
ＥＬディスプレイパネル２においては、データ電極ライン３及び走査電極ライン４が所定間隔をおいて互いに交差するように形成されてその交差領域においてＥＬセル１が形成される。
【０００４】
制御部２１は、入力映像信号を処理し、データ駆動部５にディスプレイデータ信号及びスイッチング制御信号を供給し、走査駆動部６及び充電スイッチ２５にスイッチング制御信号を供給する。走査駆動部６は、制御部２１からのスイッチング制御信号に応じて動作して走査電極ライン４を駆動する。制御部２１からのスイッチング制御信号に応じて動作するデータ駆動部５は、制御部２１からのディスプレイデータ信号に応じてデータ電極ライン３を駆動する。
【０００５】
充電スイッチ２５は、制御部２１からのスイッチング制御信号に応じて動作し、全てのデータ電極ライン３を電気的に互いに接続しまたは分離する。キャパシタ２４及びツェナーダイオード２３の並列回路を含む充電電圧決定部２２は、ツェナーダイオード２３の降伏電圧をもってデータ電極ライン３の予備充電電圧を決定する。
【０００６】
図１及び２を参照し、ＥＬディスプレイパネル２を一般的に駆動する方法、例えば、特許文献１に記載された駆動方法について説明すれば、下記の通りである。図２中、参照符号ＰＲＥ及びＰＥＡＫは制御部２１からデータ駆動部５、走査駆動部６及び充電スイッチ２５に入力される予備充電信号及びピークブート信号を各々表わし、参照符号ＩＤｍ及びＶＤｍは、２つの水平駆動時間において発光データ電圧が印加される、あるデータ電極ラインに流れる電流波形及び電圧波形を各々表わす。そして、参照符号ＳＳｎは走査駆動部６から第ｎ走査電極ラインに印加される走査駆動信号を表わし、参照符号ＳＳｎ＋１は走査駆動部６から第（ｎ＋１）走査電極ラインに印加される走査駆動信号を表わす。
【０００７】
各々の水平駆動時間Ｔ１、Ｔ２は予備充電段階ｔ１〜ｔ２１、ｔ３〜ｔ４１及び走査段階ｔ２１〜ｔ３、ｔ４１〜ｔ５を含む。
【０００８】
第ｎ水平駆動時間Ｔ１の予備充電段階ｔ１〜ｔ２１においては、全てのデータ電極ライン３の信号入力端がスイッチングによりデータ駆動部５と電気的に分離される。また、走査スイッチ１０ａ、…、１０ｃの動作により、全てのＥＬセル１の発光を防ぐための第２電位が全ての走査電極ライン４に印加される。そして、充電スイッチ２５の動作により全てのデータ電極ライン３の他端がスイッチングにより電気的に互いに接続される。これにより、それ以前の水平駆動時間の走査時間において発光された第（ｎ−１）走査電極ラインのＥＬセル１の寄生容量が放電され、その結果、全てのデータ電極ラインの電位が接地電位より高くなる。
【０００９】
第ｎ水平駆動時間Ｔ１の走査段階ｔ２１〜ｔ３においては、充電スイッチ２５の動作により全てのデータ電極ライン３の他端がスイッチングにより電気的に互いに分離される。また、各々のデータ電極ライン３の信号入力端がスイッチングによりデータ駆動部５と電気的に接続される。さらに、走査される走査電極ラインに前記第２電位より低い第１電位としての接地電位が印加され、その他の全ての走査電極ラインに前記第２電位が印加される。そして、各々のデータ電流信号が各々のデータ電極ライン３の信号入力端に印加される。この走査段階ｔ２１〜ｔ３の初期時間ｔ２１〜ｔ２２において、さらなる電流信号が各々のデータ電極ライン３の信号入力端に印加されるピークブート段階が行われる。
【００１０】
前記の如き動作原理は第（ｎ＋１）水平駆動時間Ｔ２においても同様に適用される。
【００１１】
図３Ａは、図２の予備充電段階ｔ１〜ｔ２１、ｔ３〜ｔ４１における電流の流れを示している。図１〜図３Ａを参照すれば、予備充電段階ｔ１〜ｔ２１、ｔ３〜ｔ４１において、ＥＬセル１から充電スイッチ２５及びツェナーダイオード２３を介して接地側に電流Ｉ１が流れ、データ駆動部５内の電源Ｖ１からデータ駆動部５内の寄生容量と充電スイッチ２５及びツェナーダイオード２３を介して接地側に電流Ｉ２が流れる。ここで、Ａ点の電位はツェナーダイオード２３の降伏電圧に等しいため、電源Ｖ１とＡ点との間の電圧は電源Ｖ１の電圧よりツェナーダイオード２３の降伏電圧だけ低い。
【００１２】
図３Ｂは、図２の走査段階ｔ２１〜ｔ３における電流の流れを示している。図１、図２及び図３Ｂを参照すれば、走査段階ｔ２１〜ｔ３において、データ駆動部５内の電源Ｖ１から電流源８及びＥＬセル１を介して接地側に電流Ｉ４が流れ、電流源８からデータ駆動部５内の寄生容量による内部電流Ｉ３も流れる。ここで、Ａ点の電位はＥＬセル１の両端の電圧に等しいため、電源Ｖ１とＡ点との間の電圧は電源Ｖ１の電圧よりＥＬセル１の両端の電圧だけ低い。
【００１３】
図１及び図４を参照し、通常のＥＬディスプレイ装置のデータ駆動部５について説明すれば、下記の通りである。
【００１４】
通常のＥＬディスプレイ装置のデータ駆動部５は、（ｎ＋１）データレジスタ５１、ｎデータラッチ５２、デジタル−アナログ変換器５３、ブート回路５４及び予備充電スイッチ５５を備える。（ｎ＋１）データレジスタ５１には制御部２１からの単位走査ライン４ａ、４ｂまたは４ｃのデータが順次に入力される。また、水平同期信号ＨＳＹＮＣに応じて、ｎデータラッチ５２に貯蔵されたデータがデジタル−アナログ変換器５３に入力されると共に、（ｎ＋１）データレジスタ５１に貯蔵されたデータが水平同期信号ＨＳＹＮＣに応じてｎデータラッチ５２に移動する。すなわち、ｎデータラッチ５２には現在の水平駆動時間のデータが貯蔵され、（ｎ＋１）データレジスタ５１にはその次の水平駆動時間のデータが貯蔵される。デジタル−アナログ変換器５３は、ｎデータラッチ５２から入力されたデータを処理し、各データ電極ライン３ａ〜３ｅについての電流データ信号を出力する。ブート回路５４は、それ自体に入力されるタイミング制御信号ＰＥＡＫに応じて前記ピーク駆動時間（図２のｔ２１〜ｔ２２、ｔ４１〜ｔ４２）においてデジタル−アナログ変換器５３からの電流データ信号の電流量を一定に上げる。予備充電スイッチ５５は、それ自体に入力されるタイミング制御信号ＰＥＡＫに応じて前記予備充電段階（図２のｔ１〜ｔ２１、ｔ３〜ｔ４１）においてターンオフされ、前記走査段階（図２のｔ２１〜ｔ３、ｔ４１〜ｔ５）においてターンオンされる。
【００１５】
前述の如き従来の駆動方法によれば、予備充電段階ｔ１〜ｔ２１により全てのデータ電極ラインの電位が接地電位より高くなり、ピークブート段階ｔ２１〜ｔ２２においてさらなる電流信号が印加されることにより、ＥＬセル１の寄生容量の作用による輝度低下が防止される。ここで、輝度低下とは、走査されていないＥＬセル１の寄生容量が逆方向に充電されることにより、このＥＬセル１の走査中に印加される駆動電圧が相対的に遅く立ち上がるために起こる現象を言う。しかしながら、水平駆動時間ごとに前記の如き動作が一律的に行われるため、消費電力が増加するといった問題点がある。
【特許文献１】特開２００２−１０８２８４号公報
【発明の開示】
【発明が解決しようとする課題】
【００１６】
本発明の目的は、ＥＬセルの寄生容量の作用による輝度低下を防止しつつ消費電力を抑えたＥＬディスプレイパネルの駆動方法を提供することである。
【課題を解決するための手段】
【００１７】
前記目的を達成するために、本発明は、データ電極ライン及び走査電極ラインが所定間隔をおいて互いに交差するように形成されて前記交差領域においてＥＬセルが形成されるＥＬディスプレイパネルに対し、各々の水平駆動時間の初期において、各々のデータ電極ラインの信号入力端がスイッチングによりデータ駆動部と電気的に分離され、前記各々のデータ電極ラインの他端がスイッチングにより電気的に互いに接続される予備充電段階を含むＥＬディスプレイパネルの駆動方法である。ここで、現在の水平駆動時間のデータとその次の水平駆動時間のデータとの差分値が設定基準値以下であれば前記次の水平駆動時間における前記予備充電段階が行われず、現在の水平駆動時間のデータとその次の水平駆動時間のデータとの差分値が前記設定基準値より大きければ前記次の水平駆動時間における前記予備充電段階が行われる。
【００１８】
本発明の前記駆動方法によれば、現在の水平駆動時間のデータとその次の水平駆動時間におけるデータとが一定の差を有する場合に限って前記次の水平駆動時間において前記予備充電段階が行われる。これにより、前記ＥＬセルの寄生容量の作用による輝度低下を防止しつつ前記予備充電段階による消費電力を抑えることができる。ここで、現在の水平駆動時間のデータとその次の水平駆動時間におけるデータとが一定の差を有さない場合に前記次の水平駆動時間において前記予備充電段階が行われなくても良い理由について説明すれば、下記の通りである。
【００１９】
前記予備充電段階が行われない場合、基本的にあるデータ電極ラインに対して現在の水平駆動時間のデータが小さく、その次の水平駆動時間のデータが大きい場合に前記輝度低下が引き起こされる。この場合、前記次の水平駆動時間に相当するＥＬセルの寄生容量を前記現在の水平駆動時間において逆方向に充電する電荷量が増える。
【００２０】
しかしながら、現在の水平駆動時間のデータとその次の水平駆動時間におけるデータとが一定の差を有さない場合、例えば、両者が同じである場合、前記次の水平駆動時間に相当するＥＬセルの寄生容量を前記現在の水平駆動時間において逆方向に充電する電荷量、すなわち、輝度低下率が前記現在の水平駆動時間におけるデータ、すなわち、階調に反比例する。従って、この場合には、前記予備充電段階が行われなくても前記輝度低下が引き起こされない。
【発明の効果】
【００２１】
本発明によるＥＬディスプレイパネルの駆動方法によれば、現在の水平駆動時間のデータとその次の水平駆動時間におけるデータとが一定の差を有する場合に限って前記次の水平駆動時間において前記予備充電及びピークブート段階が行われる。これにより、ＥＬセルの寄生容量の作用による輝度低下を防止しつつ前記予備充電及びピークブート段階による消費電力を抑えることができる。
【発明を実施するための最良の形態】
【００２２】
以下、本発明によるＥＬディスプレイ装置の好適な実施形態について詳細に説明する。
【００２３】
図５を参照すれば、本発明の一実施形態によるＥＬディスプレイ装置は、ＥＬディスプレイパネル２及び駆動装置を備える。駆動装置は、制御部２６と、走査駆動部６及びデータ駆動部９を備える。ここで、充電スイッチ２５及び充電電圧決定部２２がＥＬディスプレイパネル２あるいは駆動装置に備えられても良い。
【００２４】
ＥＬディスプレイパネル２においては、データ電極ライン３及び走査電極ライン４が所定間隔をおいて互いに交差するように形成されてその交差領域においてＥＬセル１が形成される。
【００２５】
制御部２６は、入力映像信号を処理し、データ駆動部９にディスプレイデータ信号及びスイッチング制御信号を供給し、走査駆動部６にスイッチング制御信号を供給する。走査駆動部６は、制御部２６からのスイッチング制御信号に応じて動作して走査電極ライン４を駆動する。
【００２６】
制御部２６からのスイッチング制御信号に応じて動作するデータ駆動部９は、制御部２６からのディスプレイデータ信号に応じてデータ電極ライン３を駆動する。また、データ駆動部９は、現在の水平駆動時間のデータとその次の水平駆動時間のデータとの差分値に応じて内部の予備充電スイッチの動作を制御すると共に、予備充電制御信号ＰＲＥ２を出力して充電スイッチ２５の動作を制御する。その動作の詳細については後述する。
【００２７】
充電スイッチ２５は、データ駆動部９からのスイッチング制御信号に応じて動作し、全てのデータ電極ライン３を電気的に互いに接続しまたは分離する。キャパシタ２４及びツェナーダイオード２３の並列回路を含む充電電圧決定部２２は、ツェナーダイオード２３の降伏電圧をもってデータ電極ライン３の予備充電電圧を決定する。
【００２８】
図６を参照すれば、図５のＥＬディスプレイ装置のデータ駆動部９は、（ｎ＋１）データレジスタ９１、ｎデータラッチ９２、デジタル−アナログ変換器９３、ブート回路９４、予備充電スイッチ９５、比較器９６及びＡＮＤゲート９７、９８を備える。（ｎ＋１）データレジスタ９１には制御部２６からの単位走査ライン４ａ、４ｂまたは４ｃのデータが順次に入力される。また、水平同期信号ＨＳＹＮＣに応じてｎデータラッチ９２に貯蔵されたデータがデジタル−アナログ変換器９３に入力されると共に、（ｎ＋１）データレジスタ９１に貯蔵されたデータが水平同期信号ＨＳＹＮＣに応じてｎデータラッチ９２に移動する。すなわち、ｎデータラッチ９２には現在の水平駆動時間のデータが貯蔵され、（ｎ＋１）データレジスタ９１にはその次の水平駆動時間のデータが貯蔵される。デジタル−アナログ変換器９３は、ｎデータラッチ９２から入力されたデータを処理し、各データ電極ライン３ａ〜３ｅについての電流データ信号を出力する。ブート回路９４は第１ＡＮＤゲート９７からのピークブート制御信号ＰＥＡＫ２によるピーク駆動時間においてデジタル−アナログ変換器９３からの電流データ信号の電流量を一定に上げる。予備充電スイッチ９５は、第２ＡＮＤゲート９８からの予備充電制御信号ＰＲＥ２に応じて動作し、予備充電時間においてターンオフされ、走査時間においてターンオンされる。
【００２９】
一方、ｎデータラッチ９２に貯蔵された現在の水平駆動時間のデータｎ及び（ｎ＋１）データレジスタ９１に貯蔵された次の水平駆動時間のデータｎ＋１は水平同期信号ＨＳＹＮＣに応じて出力されるたびに比較器９６に入力される。これにより、比較器９６は、現在の水平駆動時間のデータｎとその次の水平駆動時間のデータｎ＋１とが互いに同じであれば論理“０”の信号ＣＯＭＰ＿ＯＵＴを出力し、現在の水平駆動時間のデータｎとその次の水平駆動時間のデータｎ＋１とが互いに異なれば論理“１”の信号ＣＯＭＰ＿ＯＵＴを出力する。これにより、第１ＡＮＤゲート９７は、既存のピークブート制御信号ＰＥＡＫ及び比較器９６の出力信号ＣＯＭＰ＿ＯＵＴが共に論理“１”である間にのみ論理“１”のピークブート制御信号ＰＥＡＫ２を出力する。また、第２ＡＮＤゲート９８は既存の予備充電制御信号ＰＲＥ及び比較器９６の出力信号ＣＯＭＰ＿ＯＵＴが共に論理“１”である間にのみ論理“１”の予備充電制御信号ＰＲＥ２を出力する。
【００３０】
図５〜図７を参照し、図６のデータ駆動部９及び図５のＥＬディスプレイパネル２の各信号関係について説明すれば、下記の通りである。図７中、参照符号Ｄｎはｎデータラッチ９２に貯蔵された現在の水平駆動時間のデータを、参照符号Ｄｎ＋１は（ｎ＋１）データレジスタ９１に貯蔵された次の水平駆動時間のデータを各々表わす。そして、参照符号ＩＤｍ及びＶＤｍは２つの水平駆動時間において発光データ電圧が印加される、あるデータ電極ラインに流れる電流波形及び電圧波形を各々表わし、参照符号ＳＳｎは走査駆動部６から第ｎ走査電極ラインに印加される走査駆動信号を表わす。さらに、参照符号ＳＳｎ＋１は走査駆動部６から第（ｎ＋１）走査電極ラインに印加される走査駆動信号を表わす。
【００３１】
第ｎ水平駆動時間Ｔ１のｔ１時点においては水平同期信号ＨＳＹＮＣのパルスが立ち下がる。このパルスの立ち上がり時点において比較器９６の比較結果が出力されるため、このパルスの立ち上がり時点から水平同期信号ＨＳＹＮＣの次パルスの立ち上がり時点までには比較器９６の出力信号ＣＯＭＰ＿ＯＵＴが論理‘１’の状態となる。なぜならば、現在の水平駆動時間のデータＤｎ“ＦＦｈ（１６進数）”及びその次の水平駆動時間のデータＤｎ＋１“Ｆ０ｈ（１６進数）”が相異なるからである。
【００３２】
また、既に設定されている予備充電時間ｔ１〜ｔ２１において既存の予備充電制御信号ＰＲＥが論理‘１’の状態となるため、前記予備充電時間ｔ１〜ｔ２１において第２ＡＮＤゲート９８からの予備充電制御信号ＰＲＥ２が論理‘１’の状態となる。この予備充電制御信号ＰＲＥ２は予備充電スイッチ９５及び充電スイッチ２５に各々入力される。これにより、予備充電スイッチ９５がターンオフされ、その結果、全てのデータ電極ライン３の信号入力端がデータ駆動部９と電気的に分離される。また、充電スイッチ２５がターンオンされることにより、全てのデータ電極ライン３の他端がスイッチングにより電気的に互いに接続される。これにより、その以前の水平駆動時間の走査時間において発光された第（ｎ−１）走査電極ラインのＥＬセル１の寄生容量が放電されることにより、全てのデータ電極ラインの電位が接地電位より高くなる。この予備充電時間ｔ１〜ｔ２１において、走査スイッチ１０ａ、…、１０ｃの動作により、全ての走査電極ライン４に第２電位が印加される。
【００３３】
第ｎ水平駆動時間Ｔ１の走査時間ｔ２１〜ｔ３においては、既存の予備充電制御信号ＰＲＥが論理‘０’の状態となるため、前記走査時間ｔ２１〜ｔ３において第２ＡＮＤゲート９８からの予備充電制御信号ＰＲＥ２が論理‘０’の状態となる。これにより、充電スイッチ２５の動作により全てのデータ電極ライン３の他端がスイッチングにより電気的に互いに分離される。また、各々のデータ電極ライン３の信号入力端がスイッチングによりデータ駆動部９と電気的に接続される。さらに、走査される第ｎ走査電極ラインに前記第２電位より低い第１電位としての接地電位が印加され、その他の全ての走査電極ラインに前記第２電位が印加される。そして、各々のデータ電流信号が各々のデータ電極ライン３の信号入力端に印加される。
【００３４】
この走査段階ｔ２１〜ｔ３の初期時間であるピークブート時間ｔ２１〜ｔ２２において、比較器９６の出力信号ＣＯＭＰ＿ＯＵＴが論理‘１’の状態であり、既存のピークブート制御信号ＰＥＡＫが論理‘１’の状態となるため、第１ＡＮＤゲート９７からのピークブート制御信号ＰＥＡＫ２が論理‘１’の状態となる。この予備充電制御信号ＰＲＥ２はブート回路９４に入力される。これにより、ブート回路９４の動作によりさらなる電流信号が各々のデータ電極ライン３の信号入力端に印加される。
【００３５】
第（ｎ＋１）水平駆動時間Ｔ２のｔ３時点においては水平同期信号ＨＳＹＮＣのパルスが立ち下がる。このパルスの立ち上がり時点において比較器９６の比較結果が出力されるため、このパルスの立ち上がり時点から水平同期信号ＳＹＮＣの次パルスの立ち上がり時点までには比較器９６の出力信号ＣＯＭＰ＿ＯＵＴが論理‘０’の状態となる。なぜならば、現在の水平駆動時間のデータＤｎ“Ｆ０ｈ（１６進数）”とその次の水平駆動時間のデータＤｎ＋１“Ｆ０ｈ（１６進数）”が互いに同じであるからである。
【００３６】
従って、既に設定されている予備充電時間ｔ３〜ｔ４１において既存の予備充電制御信号ＰＲＥが論理‘１’の状態であっても、第２ＡＮＤゲート９８からの予備充電制御信号ＰＲＥ２が論理‘０’の状態となる。この予備充電制御信号ＰＲＥ２は予備充電スイッチ９５及び充電スイッチ２５に各々入力される。これにより、前記予備充電動作が行われない。この予備充電時間ｔ３〜ｔ４１において、走査スイッチ１０ａ、…、１０ｃの動作により、全てのＥＬセル１の発光を防ぐための第２電位が全ての走査電極ライン４に印加される。
【００３７】
第（ｎ＋１）水平駆動時間Ｔ２の走査時間ｔ４１〜ｔ５においては、走査される第（ｎ＋１）走査電極ラインに前記第２電位より低い第１電位としての接地電位が印加され、その他の全ての走査電極ラインに前記第２電位が印加される。そして、各々のデータ電流信号が各々のデータ電極ライン３の信号入力端に印加される。
【００３８】
この走査段階ｔ２１〜ｔ３の初期時間であるピークブート時間ｔ２１〜ｔ２２において、比較器９６の出力信号ＣＯＭＰ＿ＯＵＴが論理‘０’の状態であるため、既存のピークブート制御信号ＰＥＡＫが論理‘１’の状態であっても第１ＡＮＤゲート９７からのピークブート制御信号ＰＥＡＫ２が論理‘０’の状態となる。この予備充電制御信号ＰＲＥ２はブート回路９４に入力される。これにより、前記ピークブート動作が行われない。
【００３９】
本発明は、上記の実施形態に限定されず、特許請求の範囲に記載された発明の思想及び範囲内であれば、当業者による変形及び改良が可能である。
【産業上の利用可能性】
【００４０】
本発明は、電界発光ディスプレイの輝度低下を防止しつつ消費電力を抑える効果があり、電界発光ディスプレイに効果的に適用可能である。
【図面の簡単な説明】
【００４１】
【図１】通常のＥＬディスプレイ装置の構成を示す図面である。
【図２】図１のＥＬディスプレイパネルを一般的に駆動する方法を示すタイミングチャートである。
【図３Ａ】図２の予備充電段階における電流の流れを示す回路図である。
【図３Ｂ】図２の走査段階における電流の流れを示す回路図である。
【図４】図１のＥＬディスプレイ装置のデータ駆動部の内部構成を示すブロック図である。
【図５】本発明の一実施形態によるＥＬディスプレイ装置の構成を示す図面である。
【図６】図５のＥＬディスプレイ装置のデータ駆動部の内部構成を示すブロック図である
【図７】図６のデータ駆動部及び図５のＥＬディスプレイパネルの各信号を示すタイミングチャートである。
【符号の説明】
【００４２】
１  ＥＬ素子
２  ＥＬディスプレイパネル
３  データ電極ライン
４  走査電極ライン
５、９  データ駆動部
６  走査駆動部
８  電流源
１０ａ、…、１０ｃ  走査スイッチ
２１、２６  制御部
２２  充電電圧決定部
２５  充電スイッチ
【図１】
2005122142.tif 000003
【図２】
2005122142.tif 000004
【図３Ａ】
2005122142.tif 000005
【図３Ｂ】
2005122142.tif 000006
【図４】
2005122142.tif 000007
【図５】
2005122142.tif 000008
【図６】
2005122142.tif 000009
【図７】
2005122142.tif 000010